(57)【要約】      （修正有）【課題】商用電源から通常価格の電力が供給され太陽光発電装置で発電されている時間帯において、電気料金をより節減できる電力供給システムを提供する。【解決手段】商用電源４側及び負荷３側と連係し、夜間においては商用電源４からの電力を蓄電し、昼間においては蓄電電力を放電して負荷３側へ供給し、昼間に太陽光発電装置１又は風力発電装置で発電した電力を商用電源４側へ売電するようにした電力供給装置であって、太陽光発電装置１と電力供給制御装置２とを備え、電力供給制御装置２は商用電源４から通常価格の電力が供給される時間帯において、発電された電力を全て商用電源側へ売電すると共に、負荷側への電力供給は商用電源から買電をせず全て蓄電池２２からの放電電力によって行う。【選択図】図１
0003172855.tif 000002
【実用新案登録請求の範囲】
【請求項１】
商用電源(4)側及び負荷(3)側と連係し、夜間においては商用電源(4)からの電力を蓄電し、昼間においては蓄電電力を放電して負荷(3)側へ供給し、昼間に太陽光発電装置(1)又は風力発電装置で発電した電力を商用電源(4)側へ売電するようにした電力供給装置であって、
太陽光発電装置(1)と、
該太陽光発電装置(1)と連係する電力供給制御装置(2)と、
を備えており、
前記太陽光発電装置(1)は、
所要数の系統からなる太陽電池モジュール(10a,10b,10c,10d)と、
該太陽電池モジュール(10a,10b,10c,10d)で発電された直流電力を一定の範囲の電圧に調整する太陽光発電系統接続部(11)と、
前記太陽電池モジュール(10a,10b,10c,10d)で発電された直流電力を交流電力に変換するパワーコンディショナ(12)と、
を有し、
前記電力供給制御装置(2)は、
商用電源(4)からの電力を蓄電する蓄電池(22)と、
該蓄電池(22)から放電された直流電力を交流電力に変換するＤＣ／ＡＣインバータ(23)と、
インストールされたプログラムソフトウェアにより、配線経路の通電路を切り替える制御、前記ＤＣ／ＡＣインバータ(23)の出力制御あるいは前記蓄電池(22)の充電特性や放電量の制御を行う制御部(25)と、
を有しており、
前記蓄電池モジュール(22)は、商用電源から通常価格の電力が供給される時間帯において、負荷側で使用される一般的な需要電力量と少なくとも同等の容量を有している、
電力供給装置。
【請求項２】
商用電源(4)側及び負荷(3)側と連係し、夜間においては商用電源(4)からの電力を蓄電し、昼間においては蓄電電力を放電して負荷(3)側へ供給し、昼間に太陽光発電装置(1)又は風力発電装置で発電した電力を商用電源(4)側へ売電するようにした電力供給装置であって、
太陽光発電装置(1)と、
該太陽光発電装置(1)と連係する電力供給制御装置(2)と、
を備えており、
前記太陽光発電装置(1)は、
所要数の系統からなる太陽電池モジュール(10a,10b,10c,10d)と、
該太陽電池モジュール(10a,10b,10c,10d)で発電された直流電力を一定の範囲の電圧に調整する太陽光発電系統接続部(11)と、
前記太陽電池モジュール(10a,10b,10c,10d)で発電された直流電力を交流電力に変換するパワーコンディショナ(12)と、
を有し、
前記電力供給制御装置(2)は、
商用電源(4)からの電力を蓄電する蓄電池(22)と、
該蓄電池(22)から放電された直流電力を交流電力に変換するＤＣ／ＡＣインバータ(23)と、
インストールされたプログラムソフトウェアにより、配線経路の通電路を切り替える制御、前記ＤＣ／ＡＣインバータ(23)の出力制御あるいは前記蓄電池(22)の充電特性や放電量の制御を行う制御部(25)と、
を有しており、
前記制御部(25)による制御は、
商用電源(4)から通常価格の電力が供給される昼間の時間帯において、前記太陽光発電装置(1)で発電された電力を全て商用電源(4)側へ売電すると共に、負荷(3)側への電力供給は、商用電源(4)から買電をせず全て前記蓄電池(22)からの放電電力によって行う制御を含んでいる、
電力供給装置。
【請求項３】
商用電源(4)側及び負荷(3)側と連係し、夜間においては商用電源(4)からの電力を蓄電し、昼間においては蓄電電力を放電して負荷(3)側へ供給し、昼間に太陽光発電装置(1)又は風力発電装置で発電した電力を商用電源(4)側へ売電するようにした電力供給装置であって、
太陽光発電装置(1)と、
該太陽光発電装置(1)と連係する電力供給制御装置(2)と、
を備えており、
前記太陽光発電装置(1)は、
所要数の系統からなる太陽電池モジュール(10a,10b,10c,10d)と、
該太陽電池モジュール(10a,10b,10c,10d)で発電された直流電力を一定の範囲の電圧に調整する太陽光発電系統接続部(11)と、
前記太陽電池モジュール(10a,10b,10c,10d)で発電された直流電力を交流電力に変換するパワーコンディショナ(12)と、
を有し、
前記電力供給制御装置(2)は、
商用電源(4)からの電力を蓄電する蓄電池(22)と、
該蓄電池(22)から放電された直流電力を交流電力に変換するＤＣ／ＡＣインバータ(23)と、
インストールされたプログラムソフトウェアにより、配線経路の通電路を切り替える制御、前記ＤＣ／ＡＣインバータ(23)の出力制御あるいは前記蓄電池(22)の充電特性や放電量の制御を行う制御部(25)と、
を有しており、
前記制御部(25)による制御は、
前記太陽光発電装置(1)又は風力発電装置が発電しておらず、商用電源(4)から安価な電力が供給される時間帯において、商用電源(4)側から買電される交流電力を負荷(3)側へ供給すると共に、前記交流電力を直流電力に変換して前記蓄電池(22)に充電する制御を行う第１の運転モードと、
前記太陽光発電装置(1)又は風力発電装置が発電しており、商用電源(4)からやや安価な電力が供給される時間帯において、商用電源(4)側から買電される交流電力を負荷(3)側へ供給すると共に、前記太陽光発電装置(1)又は風力発電装置で発電された電力の全量を商用電源(4)側へ売電する制御を行う第２の運転モードと、
前記太陽光発電装置(1)又は風力発電装置が発電しており、商用電源(4)から通常価格の電力が供給される時間帯において、負荷(3)側へは前記蓄電池(22)から放電された電力のみを供給すると共に、前記太陽光発電装置(1)又は風力発電装置で発電された電力の全量を商用電源(4)側へ売電する制御を行う第３の運転モードと、
前記太陽光発電装置(1)又は風力発電装置が発電しておらず、商用電源(4)からやや安価な電力が供給される時間帯において、商用電源(4)側から買電される交流電力を負荷(3)側へ供給する制御を行う第４の運転モードと、
商用電源(4)が停電し、前記太陽光発電装置(1)又は風力発電装置が発電しているときは、前記蓄電池(22)から放電された直流電力を交流電力に変換して負荷(3)側へ供給すると共に、前記太陽光発電装置(1)又は風力発電装置から入力される直流電力を前記蓄電池(22)に充電するか、又は前記蓄電池(22)を通り負荷(3)側へ供給する制御を行う第５の運転モードと、
商用電源(4)が停電し、前記太陽光発電装置(1)又は風力発電装置が発電していないときは、前記蓄電池(22)から放電された直流電力を交流電力に変換して負荷(3)側へ供給する制御を行う第６の運転モードと、
を含んでいる、
電力供給装置。
【請求項４】
蓄電池(22)が、商用電源(4)から通常価格の電力が供給される時間帯において、負荷(3)側で使用される一般的な需要電力量と少なくとも同等の容量を有している、
請求項２又は３記載の電力供給装置。
【請求項５】
商用電源(4)側と負荷(3)側との間に、請求項１、２、３又は４の何れか一項に記載の電力供給装置が連係して配置されるものである、
電力供給システム。
【考案の詳細な説明】
【技術分野】
【０００１】
本考案は、電力供給装置及びそれを使用した電力供給システムに関するものである。更に詳しくは、商用電源側及び負荷側と連係し、夜間においては商用電源からの電力を蓄電し、昼間に放電して負荷側で使用し、昼間に太陽光発電装置で発電した電力を商用電源側へ売電する電力供給装置及びそれを使用した電力供給システムであって、昼間十分に太陽光発電装置で発電されている状況では、負荷側への電力供給は全て蓄電池の放電電力によってまかなうようにし、商用電源からの買電は行わないようにして、電気料金をより節減できるようにしたものに関する。
【背景技術】
【０００２】
電力会社の発電設備は、夏期昼間の最大の電力消費量に対応できるように整備されている。このため、夜間においては、消費しきれない余剰電力が生じている。この余剰電力は、最後には熱として捨てられ消滅してしまう。電力会社では、この余剰電力を低減するために、夜間の電気料金を安価に設定して利用を促進したり、発電設備のうち一部を停止したり、出力を小さくする等の対策を講じている。
【０００３】
しかし、前記後者による対策は、結果的に発電機を低効率で運転することになり、エネルギーの損失がきわめて大きい。また、特に原子力発電設備の運転においては、安全上の観点から出力を変動させないようになっており、夜間においても昼間と同出力の運転が行われている。このため、前記のような調整をしても、依然として夜間に多くの余剰電力が生じ、多大なエネルギーが無駄に失われているのが現状である。
【０００４】
このような状況を改善するために、変動要因の大きい太陽光発電装置等の再生可能エネルギー系電力と深夜電力等の安定電力とを連係させ、余剰電力を有効に利用して省エネルギー化を図った給電システムがすでに提案されている。このようなシステムの一例としては、本願考案者が提案した特許文献１に開示されている「住宅用給電システム」がある。
【先行技術文献】
【特許文献】
【０００５】
【特許文献１】特開２０１１−５０１３１
【考案の概要】
【考案が解決しようとする課題】
【０００６】
しかしながら、前記従来の住宅用給電システムには、次のような課題があった。
すなわち、前記従来の住宅用給電システムは、昼間、商用電源から高価な通常価格の電力が供給されており、太陽光発電装置等で発電されている時間帯においては、発電電力を商用電源側へ売電すると共に、蓄電池の放電電力を負荷側へ供給するようになっている。しかし、負荷側への電力供給は、全てが蓄電池の放電電力によってまかなわれるわけではなく、一部は商用電源から買電する仕様となっている。このため、昼間の高い電気を相当量買電することになるので、電気料金を節減する観点からは改善の余地がある。
【０００７】
（本考案の目的）
本考案は、商用電源側及び負荷側と連係し、夜間において商用電源からの電力を蓄電し、昼間に放電して負荷側で使用し、昼間に太陽光発電装置で発電した電力を商用電源側へ売電する電力供給装置及びそれを使用した電力供給システムにおいて、商用電源から高価な通常価格の電力が供給され、太陽光発電装置等で発電されている時間帯において、発電電力は全て商用電源側へ売電するようにし、蓄電池の放電電力を負荷側へ供給するときに、負荷側への電力供給は、全て蓄電池の放電電力を供給することにより行うようにし、商用電源から高価な電力を買電しないようにして、電気料金をより節減することができる電力供給装置及びそれを使用した電力供給システムを提供することを目的とする。
【課題を解決するための手段】
【０００８】
（１）本考案は、
商用電源側及び負荷側と連係し、夜間においては商用電源からの電力を蓄電し、昼間においては蓄電電力を放電して負荷側へ供給し、昼間に太陽光発電装置又は風力発電装置で発電した電力を商用電源側へ売電するようにした電力供給装置であって、
太陽光発電装置と、
該太陽光発電装置と連係する電力供給制御装置と、
を備えており、
前記太陽光発電装置は、
所要数の系統からなる太陽電池モジュールと、
該太陽電池モジュールで発電された直流電力を一定の範囲の電圧に調整する太陽光発電系統接続部と、
前記太陽電池モジュールで発電された直流電力を交流電力に変換するパワーコンディショナと、
を有し、
前記電力供給制御装置は、
商用電源からの電力を蓄電する蓄電池と、
該蓄電池から放電された直流電力を交流電力に変換するＤＣ／ＡＣインバータと、
インストールされたプログラムソフトウェアにより、配線経路の通電路を切り替える制御、前記ＤＣ／ＡＣインバータの出力制御あるいは前記蓄電池の充電特性や放電量の制御を行う制御部と、
を有しており、
前記蓄電池モジュールは、商用電源から通常価格の電力が供給される時間帯において、負荷側で使用される一般的な需要電力量と少なくとも同等の容量を有している、
電力供給装置である。
【０００９】
（２）本考案は、
商用電源側及び負荷側と連係し、夜間においては商用電源からの電力を蓄電し、昼間においては蓄電電力を放電して負荷側へ供給し、昼間に太陽光発電装置又は風力発電装置で発電した電力を商用電源側へ売電するようにした電力供給装置であって、
太陽光発電装置と、
該太陽光発電装置と連係する電力供給制御装置と、
を備えており、
前記太陽光発電装置は、
所要数の系統からなる太陽電池モジュールと、
該太陽電池モジュールで発電された直流電力を一定の範囲の電圧に調整する太陽光発電系統接続部と、
前記太陽電池モジュールで発電された直流電力を交流電力に変換するパワーコンディショナと、
を有し、
前記電力供給制御装置は、
商用電源からの電力を蓄電する蓄電池と、
該蓄電池から放電された直流電力を交流電力に変換するＤＣ／ＡＣインバータと、
インストールされたプログラムソフトウェアにより、配線経路の通電路を切り替える制御、前記ＤＣ／ＡＣインバータの出力制御あるいは前記蓄電池の充電特性や放電量の制御を行う制御部と、
を有しており、
前記制御部による制御は、
商用電源から通常価格の電力が供給される昼間の時間帯において、前記太陽光発電装置で発電された電力を全て商用電源側へ売電すると共に、負荷側への電力供給は、商用電源から買電をせず全て前記蓄電池からの放電電力によって行う制御を含んでいる、
電力供給装置である。
【００１０】
（３）本考案は、
商用電源側及び負荷側と連係し、夜間においては商用電源からの電力を蓄電し、昼間においては蓄電電力を放電して負荷側へ供給し、昼間に太陽光発電装置又は風力発電装置で発電した電力を商用電源側へ売電するようにした電力供給装置であって、
太陽光発電装置と、
該太陽光発電装置と連係する電力供給制御装置と、
を備えており、
前記太陽光発電装置は、
所要数の系統からなる太陽電池モジュールと、
該太陽電池モジュールで発電された直流電力を一定の範囲の電圧に調整する太陽光発電系統接続部と、
前記太陽電池モジュールで発電された直流電力を交流電力に変換するパワーコンディショナと、
を有し、
前記電力供給制御装置は、
商用電源からの電力を蓄電する蓄電池と、
該蓄電池から放電された直流電力を交流電力に変換するＤＣ／ＡＣインバータと、
インストールされたプログラムソフトウェアにより、配線経路の通電路を切り替える制御、前記ＤＣ／ＡＣインバータの出力制御あるいは前記蓄電池の充電特性や放電量の制御を行う制御部と、
を有しており、
前記制御部による制御は、
<Ａモード．通常時、深夜>
前記太陽光発電装置又は風力発電装置が発電しておらず、商用電源から安価な電力が供給される時間帯において、商用電源側から買電される交流電力を負荷側へ供給すると共に、前記交流電力を直流電力に変換して前記蓄電池に充電する制御を行う第１の運転モードと、
<Ｂ．モード通常時、朝>
前記太陽光発電装置又は風力発電装置が発電しており、商用電源からやや安価な電力が供給される時間帯において、商用電源側から買電される交流電力を負荷側へ供給すると共に、前記太陽光発電装置又は風力発電装置で発電された電力の全量を商用電源側へ売電する制御を行う第２の運転モードと、
<Ｃ．モード通常時、昼>
前記太陽光発電装置又は風力発電装置が発電しており、商用電源から通常価格の電力が供給される時間帯において、負荷側へは前記蓄電池から放電された電力のみを供給すると共に、前記太陽光発電装置又は風力発電装置で発電された電力の全量を商用電源側へ売電する制御を行う第３の運転モードと、
<Ｄ．モード通常時、晩>
前記太陽光発電装置又は風力発電装置が発電しておらず、商用電源からやや安価な電力が供給される時間帯において、商用電源側から買電される交流電力を負荷側へ供給する制御を行う第４の運転モードと、
<Ｅ．モード停電時、朝昼>
商用電源が停電し、前記太陽光発電装置又は風力発電装置が発電しているときは、前記蓄電池から放電された直流電力を交流電力に変換して負荷側へ供給すると共に、前記太陽光発電装置又は風力発電装置から入力される直流電力を前記蓄電池に充電するか、又は前記蓄電池を通り負荷側へ供給する制御を行う第５の運転モードと、
<Ｆ．モード停電時、晩、深夜>
商用電源が停電し、前記太陽光発電装置又は風力発電装置が発電していないときは、前記蓄電池から放電された直流電力を交流電力に変換して負荷側へ供給する制御を行う第６の運転モードと、
を含んでいる、
電力供給装置である。
【００１１】
（４）本考案は、
蓄電池が、商用電源から通常価格の電力が供給される時間帯において、負荷側で使用される一般的な需要電力量と少なくとも同等の容量を有している、
前記（２）又は（３）の電力供給装置である。
【００１２】
（５）本考案は、
商用電源側と負荷側との間に、前記（１）、（２）、（３）又は（４）の何れか一項に記載の電力供給装置が連係して配置されるものである、
電力供給システムである。
【００１３】
太陽光発電装置又は風力発電装置は、他の再生可能エネルギー系発電装置と組み合わせたり、又はこれらで代替することが可能である。
【００１４】
日本国内の各電力会社においては、用途に合わせた料金体系で契約することができる。その区分けを一例としてあげれば、（１）23:00〜7:00（深夜の時間帯）、（２）7:00〜10:00（朝の時間帯）及び18:00〜23:00（晩の時間帯）、（３）10:00〜18:00（昼の時間帯）であり、本考案は、この様な契約体系時間帯によって制御時間を合せた制御設定を可能にした機能を持つものである。
【００１５】
前記料金体系である23:00〜7:00（深夜）の時間帯は、実用新案登録請求の範囲及び本明細書の記載において商用電源から「安価な電力」が供給される時間帯に当たり、7:00〜10:00（朝）及び18:00〜23:00（晩）の時間帯は、同じく商用電源から「やや安価な電力」が供給される時間帯に当たり、10:00〜18:00（昼）の時間帯は、同じく商用電源から「通常価格の電力」が供給される時間帯に当たる。  
【００１６】
なお、前記各時間帯における電気料金の違いは、一例をあげると、10:00〜18:00（昼）の時間帯（電気料金が通常価格の時間帯）の料金を１００とすると、7:00〜10:00（朝）及び18:00〜23:00（夜）の時間帯（電気料金がやや安価な時間帯）の料金が６９．３、深夜の時間帯（電気料金が安価な時間帯）の料金が２７．５となっている。
【００１７】
（作用）
本考案に係る電力供給装置及び電力供給システムの作用を説明する。
電力供給装置及び電力供給システムは、商用電源から高価な通常価格の電力が供給されており、太陽光発電装置又は風力発電装置で発電されている時間帯においては、発電された電力を全て商用電源側へ売電する。また、負荷側へは、蓄電池に蓄電されていた直流電力を交流電力に変換して供給するが、この放電電力を負荷側へ供給するときに、従来のように商用電源から高価な電力を買電して供給することはなく、負荷側への電力供給は、全て蓄電池の放電電力を供給することにより行うようになっている。したがって、電気料金をより節減することができる。
【００１８】
なお、前記第１の考案に係る電力供給装置及びそれを備えた電力供給システムは、蓄電池が、商用電源から通常価格の電力が供給される時間帯において、負荷側で使用される一般的な需要電力量と少なくとも同等の容量を有していることによって、前記負荷側への電力供給を全て蓄電池の放電電力を供給することにより行う制御が可能になる。
【考案の効果】
【００１９】
本考案は、商用電源側及び負荷側と連係し、夜間において商用電源からの電力を蓄電し、昼間に放電して負荷側で使用し、昼間に太陽光発電装置で発電した電力を商用電源側へ売電する電力供給装置及びそれを使用した電力供給システムにおいて、商用電源から高価な通常価格の電力が供給され、太陽光発電装置等で発電されている時間帯において、発電電力を全て商用電源側へ売電し、蓄電池の放電電力を負荷側へ供給するときに、負荷側への電力供給は、全て蓄電池の放電電力を供給することにより行うようにし、商用電源から高価な電力を買電しないようにしているので、電気料金をより節減することができる電力供給装置及びそれを使用した電力供給システムを提供できる。
【図面の簡単な説明】
【００２０】
【図１】本考案に係る電力供給システムの一実施の形態を示すブロック図。
【図２】電力供給システムを構成する電力供給制御装置のブロック図。
【図３】通常時Ａモード（23:00〜7:00の時間帯）の運転制御を説明するブロック図。
【図４】通常時Ｂモード（7:00〜10:00の時間帯）の運転制御を説明するブロック図。
【図５】通常時Ｃモード（10:00〜18:00の時間帯）の運転制御を説明するブロック図。
【図６】通常時Ｄモード（18:00〜23:00の時間帯）の運転制御を説明するブロック図。
【図７】停電時Ｅモード（7:00〜18:00の時間帯）の運転制御を説明するブロック図。
【図８】停電時Ｆモード（18:00〜7:00の時間帯）の運転制御を説明するブロック図。
【考案を実施するための形態】
【００２１】
〔実施の形態〕
本考案を図面に示した実施の形態に基づき詳細に説明する。
図１及び図２を参照する。
電力供給システムＳは、住宅用のシステムであり、電力供給装置Ｄと、電力供給装置Ｄと連係する商用電源４及び負荷側配電盤３により構成されている。
電力供給装置Ｄは、太陽光発電装置１及び蓄電池モジュール２２を備えた電力供給制御装置２を有している。
【００２２】
太陽光発電装置１は、四系統からなる太陽電池モジュール１０ａ、１０ｂ、１０ｃ、１０ｄと、太陽光発電系統接続部１１及びパワーコンディショナ１２を備えている。
太陽電池モジュール１０ａ、１０ｂ、１０ｃ、１０ｄは、太陽光発電系統接続部１１を介してパワーコンディショナ１２に接続されている。
【００２３】
太陽電池モジュール１０ａ、１０ｂ、１０ｃ、１０ｄは、太陽光（光エネルギー）を光起電力効果により電力に変換するものであり、多数のセルを直列又は並列に接続して必要な電力をつくり出すパネルである。
【００２４】
太陽光発電系統接続部１１は、太陽電池モジュール１０ａ、１０ｂ、１０ｃ、１０ｄで発電された不均等な電圧の直流電力を所要の範囲の電圧に調整するものである。なお、太陽光発電系統接続部１１については、既に市販されその技術的内容は公知であるので詳細な説明は省略する。
【００２５】
パワーコンディショナ１２は、太陽電池モジュール１０ａ、１０ｂ、１０ｃ、１０ｄで発電された直流電力を交流電力に変換し出力するものであり、ＡＣ二線２００Ｖ出力部１２０及びＡＣ単線１００Ｖ出力部１２１を備えている。但し、発電量により電流は変化する。
【００２６】
パワーコンディショナ１２のＡＣ単線１００Ｖ出力部１２１は、後記電力供給制御装置２のＡＣ入力部２０４に配線１２３によって接続されており、これにより太陽光発電装置１は電力供給装置Ｄと連係する。また、ＡＣ二線２００Ｖ出力部１２０は、後記商用電源４とＡＣ入力部２０４間の配線経路Ｗ１０の後記ブレーカ４２より下流側の経路に配線１２２によって接続されている。
【００２７】
なお、単線１００Ｖ出力部１２１からＡＣ入力部２０４に至る配線１２３から分岐して配線１２４が設けられ、その先端は発電運転専用コンセント１３に接続されている。発電運転専用コンセント１３は、ユーザー側の屋内等の一箇所のみに設けられている。発電運転専用コンセント１３には、商用電源４の停電時に太陽光発電装置１の発電運転（自動的な発電）を行った場合のみ、ＡＣ１００Ｖの電力が供給される。
【００２８】
主に図２を参照して電力供給制御装置２を説明する。
電力供給制御装置２は、コントロールボックス２ａと蓄電池ボックス２ｂ及び接続ボックス２ｃを備えている。コントロールボックス２ａと蓄電池ボックス２ｂ及び接続ボックス２ｃは、配線接続部（符号省略）よって接続されている。
【００２９】
前記接続ボックス２ｃは、太陽光発電装置１で発電された電力を入力するＡＣ入力部２０４と、商用電源４から供給されるＡＣ１００Ｖ陽極二線の電力を入力するＡＣ入出力部２０７と、前記負荷側配電盤３へのＡＣ１００Ｖの交流電力を出力するＡＣ出力部２０５及び負荷側へＡＣ２００Ｖの交流電力を出力するＡＣ出力部２０６を備えている。
【００３０】
前記蓄電池ボックス２ｂは、蓄電池モジュール２２を備えている。蓄電池モジュール２２は、それぞれ多数のバッテリーセル（符号省略）を備えている。使用されるバッテリーセルとしては、例えばリチウムポリマー電池があげられるが、システムとして必要な充電容量に対応できれば、適宜公知の他の種類の蓄電池を採用することができる。
【００３１】
蓄電池モジュール２２とＡＣ入力部２０４間には、配線経路Ｗ１が設けられている。配線経路Ｗ１の経路中には、ＡＣ入力部２０４に近い側から順に、開閉スイッチＳ１、ＡＣ単相三線２００Ｖ昇圧器２１が接続されている。
【００３２】
蓄電池モジュール２２は、後記するように商用電源４からの電力を充電する場合に、ＡＣ１００Ｖの電力を充電用の指定電圧の直流電力に変換するＡＣ／ＤＣコンバータ（変換器）を備えた充電器（図示省略）を有している。
【００３３】
コントロールボックス２ａは、蓄電池モジュール２２から放電される直流電力を交流電力に変換するＤＣ／ＡＣインバータ２３を備えている。蓄電池モジュール２２とＤＣ／ＡＣインバータ２３の間には、配線経路Ｗ２が設けられている。配線経路Ｗ２の経路中には、蓄電池モジュール２２に近い側から順に、電池放出電力センサ２０１、開閉スイッチＳ２が接続されている。
【００３４】
また、ＤＣ／ＡＣインバータ２３と前記接続ボックス２ｃのＡＣ出力部２０５との間には、配線経路Ｗ３が設けられている。配線経路Ｗ３の経路中には、ＡＣ単相三線の陽極二線出力バランスセンサ２０２が接続されている。
【００３５】
前記電池放出電力センサ２０１は、蓄電池モジュール２２から放電される電力を検出し、その情報を制御部２５へ送信するものである。また、陽極二線出力バランスセンサ２０２は、ＤＣ／ＡＣインバータ２３の陽極二線の出力バランスを後記制御部２５の制御によって読み取り、これを均等にする（バランスをとる）ものである。
【００３６】
前記配線経路Ｗ３の陽極二線出力バランスセンサ２０２より下流側の経路と前記ＡＣ出力部２０６の間には、配線経路Ｗ４が設けられている。配線経路Ｗ４の経路中には、開閉スイッチＳ６が接続されている。
【００３７】
前記接続ボックス２ｃのＡＣ入出力部２０７と蓄電池モジュール２２との間には、配線経路Ｗ５が設けられている。配線経路Ｗ５の経路中には、開閉スイッチＳ３が接続されている。なお、蓄電池モジュール２２に充電する際の交流電力から直流電力への変換は、前記したように蓄電池モジュール２２が備えている充電器によって行われる。
【００３８】
配線経路Ｗ５のＡＣ入出力部２０７と開閉スイッチＳ３の間の経路と、前記配線経路Ｗ３の陽極二線出力バランスセンサ２０２より上流側の経路間には、配線経路Ｗ６と配線経路Ｗ７が並列に接続されている。
【００３９】
配線経路Ｗ６の経路中には、開閉スイッチＳ４が接続されている。配線経路Ｗ７はメンテナンス用の配線経路であり、その経路中には、手動で開閉操作を行うためのメンテナンス用の開閉スイッチＳ５が接続されている。
【００４０】
電力会社への売電は、パワーコンディショナ１２のＡＣ二線２００Ｖ出力部１２０から交流電力を出力し、商用電源４側へ逆潮流させることにより行われる。
なお、本明細書にいう「逆潮流」とは、太陽光発電や風力発電等、再生可能エネルギー系発電装置で発電した電力を、電力会社から受電する電力と接続する系統連係において、電力会社線（商用電源）側に送られることをいう。
【００４１】
また、図１、図２に示すように、蓄電池モジュール２２は、蓄電池モジュール２２の温度管理を行うための冷却ファン２６と保温ヒーター２７を備えている。冷却ファン２６と保温ヒーター２７は、蓄電池モジュール２２と配線経路Ｗ９で接続されている。配線経路Ｗ９において、互いに分岐し冷却ファン２６につながる経路には開閉スイッチＳ８が、保温ヒーター２７につながる経路には開閉スイッチＳ９が設けられている。
【００４２】
また、コントロールボックス２ａは、ＭＰＵ(Micro-Processing Unit)を備えた制御部２５と、制御部２５に電力を供給するＤＣパワーモジュール２４を備えている。なお、ＤＣパワーモジュール２４については、既に市販されており、その技術的内容は公知であるので説明は省略する。
【００４３】
制御部２５は、制御プログラムソフトウェアをインストールする記憶部（図示省略）を有している。制御部２５は、記憶部にインストールされたプログラムソフトウェアにより、例えば前記各スイッチＳ１〜Ｓ９の開閉操作の制御、前記各センサ２０１、２０２との情報のやり取り、ＤＣ／ＡＣインバータ２３の出力制御、あるいは蓄電池モジュール２２の充電特性や放電量の制御等を行うものである。
【００４４】
また、例えば使用する蓄電池の規格や性能に合わせたプログラムソフトウェアを制御部２５の記憶部に適宜インストールすることによって、システム導入後の蓄電池の変更やグレードアップ等に柔軟に対応できるようにしている。
【００４５】
前記ＤＣパワーモジュール２４は、配線経路Ｗ２の電池放出電力センサ２０１と開閉スイッチＳ２の間の経路と前記制御部２５との間に設けられている配線経路Ｗ８の経路中に接続されている。なお、システムの運転中、制御部２５には、例えば商用電源４が停電しても蓄電池モジュール２２から常時直流電力が供給されるようになっており、停電時又は停電復旧後のシステムの制御に支障を来さないようにしている。
【００４６】
商用電源４は、前記ＡＣ入出力部２０７と配線経路Ｗ１０により接続され、電力供給制御装置２と連係されている。配線経路Ｗ１０の経路中には、商用電源４側から順に、買電用電力量計４０、売電用電力量計４１及び電力会社と契約した需要者側の電力契約アンペアを制御するブレーカ４２が接続されている。また、前記負荷側配電盤３は、前記ＡＣ１００Ｖを出力するＡＣ出力部２０５に接続され連係されている。
【００４７】
（作用）
図１乃至図８を参照して、電力供給システムＳの制御の一例を各モードごとに詳細に説明する。制御部２５でモードの切り替えを行うための制御は、電力供給システムＳを設置するエリアのサービスを行っている各電力会社の時間帯の区分けに合わせるようにする。
【００４８】
本実施の形態では、サービス時間帯が、Ａモードが23:00〜7:00（深夜）、Ｂモードが7:00〜10:00（朝）、Ｃモードが10:00〜18:00（昼）、Ｄモードが18:00〜23:00（夜）のように区分けされている電力会社のエリア内に設置する場合を例にとり説明する。制御部２５は、この時間帯の区分に対応したプログラムソフトウェアにより管理される。
【００４９】
なお、以下の作用の説明の理解を容易にするために各項目の目次を示す。
【００５０】
（目次）
（１）通常時運転
(1-1)Ａモード(23:00〜7:00)：<商用電源から負荷側への電力供給と蓄電池への充電を行うモード>：段落〔００５２〕〜〔００５８〕
(1-2)Ｂモード(7:00〜10:00)：<太陽光発電装置から負荷側への電力供給と商用電源側への売電を行うモード>：段落〔００５９〕〜〔００６４〕
(1-3)Ｃモード(10:00〜18:00)：<太陽光発電装置から商用電源側への売電と蓄電池から負荷側への電力供給を行うモード>：段落〔００６５〕〜〔００７２〕
(1-4)Ｄモード(18:00〜23:00)：<商用電源から負荷側への電力供給を行うモード>：段落〔００７３〕〜〔００７６〕
（２）停電時運転
(2-1)Ｅモード（7:00〜18:00）：<蓄電池から負荷側への電力供給と太陽光発電装置から蓄電池への充電を行うモード>：段落〔００７８〕〜〔００８８〕
(2-2)Ｆモード(18:00〜7:00)：<蓄電池から負荷側への電力供給を行うモード>：段落〔００８９〕〜〔００９４〕
【００５１】
（１）通常時運転
商用電源４が正常（停電していない状態）であり、日照時には太陽光発電装置１が稼働し発電している状況における運転。なお、後記Ａモードは実用新案登録請求の範囲にいう第１の運転モード、同じくＢモードは第２の運転モード、同じくＣモードは第３の運転モード、同じくＤモードは第４の運転モードを構成する。
【００５２】
(1-1)
<Ａモード：商用電源から負荷側への電力供給と蓄電池への充電を行うモード>
（深夜の時間帯、23:00〜7:00での制御）
図３を主に参照する。
【００５３】
このモードにおいては、商用電源４から安価な電力が供給される。この電力は、一方で負荷側へ供給され、他方で蓄電池モジュール２２に充電される。また、日照がない時間帯であるので、太陽光発電装置１は稼働しておらず、商用電源４側への逆潮流、すなわち売電は行われない。
以下、Ａモードの制御を更に詳しく説明する。
【００５４】
Ａモードにおいては、制御部２５の制御により、各開閉スイッチＳ１〜Ｓ６が図３に示すように開閉される。すなわち、開閉スイッチＳ１がＯＦＦ、開閉スイッチＳ２がＯＦＦ、開閉スイッチＳ３がＯＮ、開閉スイッチＳ４がＯＮ、開閉スイッチＳ５がＯＦＦ、開閉スイッチＳ６がＯＮとなる。なお、開閉スイッチＳ８、Ｓ９は蓄電池モジュール２２の状態に合わせ、制御部２５の制御により適宜開閉される（以下の各モードでも同様）。
【００５５】
この時間帯では、商用電源４から安価な電力が買電され、交流電力が配線経路Ｗ１０の買電用電力量計４０を通り、ＡＣ入出力部２０７から電力供給制御装置２へ電力が供給される。開閉スイッチＳ４がＯＮとなっているので、商用電源４からの電力は、負荷側の需要がある分だけ負荷側へ直接供給される。詳しくは、ＡＣ１００ＶがＡＣ出力部２０５から負荷側配電盤３へ出力される。また、開閉スイッチＳ６がＯＮとなっているので、ＡＣ出力部２０６からＡＣ２００Ｖが出力される。
【００５６】
なお、制御部２５にインストールされた各モードの制御を行うプログラムソフトウェアに入力することによって、Ａモードの23:00〜7:00の時間帯で、例えば分単位の充電電圧コントロールを行うための最大充電セル電圧が設定されている。一例としては、蓄電池モジュール２２のリチウム標準セル電圧３．７Ｖ、最大充電セル電圧４．２Ｖ、放電最低セル電圧（放電限界）３．０Ｖとして、制御部２５に記憶されている。
【００５７】
また、配線経路Ｗ５の経路中の開閉スイッチＳ３がＯＮとなっているので、ＡＣ入出力部２０７より入力される商用電源４からの電力は、蓄電池モジュール２２に充電器で交流電力から直流電力に変換されて充電される。なお、蓄電池モジュール２２に充電する際には、制御部２５による充電器の制御によって充電電流調整が行われる。
【００５８】
また、この深夜の時間帯において、蓄電池モジュール２２に充電可能な充電量は、商用電源から通常価格の電力が供給される時間帯における負荷側での一般的な需要電力量と少なくとも同等の電力を基準に設定されており、例えば６ＫＷ／ｈであるが、これに限定はされず、必要に応じて適宜設定することができる。
【００５９】
(1-2)
<Ｂモード：太陽光発電装置から負荷側への電力供給と商用電源側への売電を行うモード>
（朝の時間帯、7:00〜10:00での制御）
図４を主に参照する。
【００６０】
このモードにおいては、商用電源４からやや安価な電力が買電されて負荷側へ供給される。なお、太陽光発電装置１は、天候によって稼働している場合とあまり稼働していない場合がある。太陽光発電装置１が稼働している場合もあまり稼働していない場合も、発電された電力は全量が商用電源４側へ逆潮流されて売電される。
以下、Ｂモードの制御を更に詳しく説明する。
【００６１】
Ｂモードにおいては、制御部２５の制御により、各開閉スイッチＳ１〜Ｓ６が図４に示すように開閉される。すなわち、開閉スイッチＳ１がＯＦＦ、開閉スイッチＳ２がＯＦＦ、開閉スイッチＳ３がＯＦＦ、開閉スイッチＳ４がＯＮ、開閉スイッチＳ５がＯＦＦ、開閉スイッチＳ６がＯＮとなる。
【００６２】
まず、商用電源４から供給された交流電力は、配線経路Ｗ１０の買電用電力量計４０を通り、ＡＣ入出力部２０７から接続ボックス２ｃに入力された後は、ＡＣ出力部２０５から負荷側の負荷側配電盤３へＡＣ１００Ｖが出力され、ＡＣ出力部２０６からＡＣ２００Ｖが出力される。
【００６３】
また、太陽光発電装置１が稼働している場合、太陽光発電装置１の四系統からなる太陽電池モジュール１０ａ、１０ｂ、１０ｃ、１０ｄで発電され、各系統で不均等な電圧の直流電力が、太陽光発電系統接続部１１によって所要の範囲内の電圧に調整される。
【００６４】
そして、パワーコンディショナ１２のＡＣ二線２００Ｖ出力部１２０から出力された交流電力は、配線経路Ｗ１０の売電用電力量計４１を通り商用電源４へ逆潮流されて売電が行われる。
【００６５】
(1-3)
<Ｃモード：太陽光発電装置から商用電源側への売電と蓄電池から負荷側への電力供給を行うモード>
（昼の時間帯、10:00〜18:00での制御）
図５を主に参照する。
【００６６】
このモードにおいては、商用電源４から通常価格の電力が供給される。太陽光発電装置１は、天候によって稼働している場合とあまり稼働していない場合がある。
負荷３側への電力の供給は蓄電池モジュール２２からの放電電力により行われ、太陽光発電装置１の太陽電池モジュール１０ａ、１０ｂ、１０ｃ、１０ｄで発電された電力は全量が商用電源４へ逆潮流されて売電される。
以下、このモードの制御を更に詳しく説明する。
【００６７】
Ｃモードにおいては、制御部２５からの制御信号により、各開閉スイッチＳ１〜Ｓ６が図５に示すように開閉される。すなわち、開閉スイッチＳ１がＯＦＦ、開閉スイッチＳ２がＯＮ、開閉スイッチＳ３がＯＦＦ、開閉スイッチＳ４がＯＦＦ、開閉スイッチＳ５がＯＦＦ、開閉スイッチＳ６がＯＮとなる。
【００６８】
まず、蓄電池モジュール２２から直流電力が放電される。放電された電力は配線経路Ｗ２を通り、ＤＣ／ＡＣインバータ２３へ送られる。放電された電力は、電池放出電力センサ２０１でその電力量が検出される。
【００６９】
そして、ＤＣ／ＡＣインバータ２３によって直流電力が交流電力に変換され、配線経路Ｗ３を通り、陽極二線出力バランスセンサ２０２でＤＣ／ＡＣインバータ２３の陽極二線の出力バランスが読み取られ、この情報が制御部２５へ送信される。この情報を基に、ＤＣ／ＡＣインバータ２３の陽極二線の出力バランスが調整されて陽極二線の出力が均等化される。
【００７０】
陽極二線の出力バランスがとられた交流電力は、配線経路Ｗ３を通り負荷側のＡＣ出力部２０５からＡＣ１００Ｖが負荷側配電盤３に供給されると共に、ＡＣ出力部２０６からＡＣ２００Ｖが供給される。
なお、その後、蓄電池モジュール２２の放電電力量が最低セル電圧（放電限界）に達した時は、制御部２５より開閉スイッチＳ２をＯＦＦとし、放電を停止する。
【００７１】
一方で、日照時には太陽光発電装置１の四系統からなる太陽電池モジュール１０ａ、１０ｂ、１０ｃ、１０ｄで発電され、各系統で不均等な電圧の直流電力が太陽光発電系統接続部１１によって所要の範囲内の電圧に調整される。
そして、パワーコンディショナ１２のＡＣ二線２００Ｖ出力部１２０から出力された交流電力は、配線経路Ｗ１０の売電用電力量計４１を通り商用電源４へ逆潮流されて売電が行われる。
【００７２】
このように、Ｃモードにおいては、負荷側への電力供給は、全て蓄電池の放電電力を供給することにより行うようになっており、従来のように商用電源４から高価な電力を買電して供給することはない。
【００７３】
(1-4)
<Ｄモード：商用電源から負荷側への電力供給を行うモード>
（晩の時間帯、18:00〜23:00での制御）
図６を主に参照する。
【００７４】
このモードにおいては、商用電源４からやや安価な電力が供給される。また、日照がないかほとんどない時間帯であるので、太陽光発電装置１は稼働していないか、あまり稼働していない。そして、商用電源４から交流電力が買電され、負荷３側へ供給される。
以下、このモードの制御を更に詳しく説明する。
【００７５】
なお、Ｄモードにおいては、制御部２５からの制御信号により、各開閉スイッチＳ１〜Ｓ６が図６に示すように開閉される。すなわち、開閉スイッチＳ１がＯＦＦ、開閉スイッチＳ２がＯＦＦ、開閉スイッチＳ３がＯＦＦ、開閉スイッチＳ４がＯＮ、開閉スイッチＳ５がＯＦＦ、開閉スイッチＳ６がＯＮとなる。
【００７６】
まず、商用電源４から供給された交流電力は、配線経路Ｗ１０の買電用電力量計４０、ブレーカ４２を通り、ＡＣ入出力部２０７から接続ボックス２ｃに入力される。そして、配線経路Ｗ６の開閉スイッチＳ４、配線経路Ｗ３を通り、ＡＣ出力部２０５からＡＣ１００Ｖが出力され、負荷側配電盤３へ供給される。また、配線経路Ｗ３から分岐した配線経路Ｗ４を通り、ＡＣ出力部２０６からＡＣ２００Ｖが供給される。
【００７７】
（２）停電時運転
商用電源４が停電しており、日照時においては太陽光発電装置１が稼働し発電できる状況における運転である。後記Ｅのモードが実用新案登録請求の範囲にいう第５の運転モードを構成し、同じくＦのモードが第６の運転モードを構成する。
【００７８】
(2-1)
<Ｅモード：蓄電池から負荷側への電力供給と太陽光発電装置から蓄電池への充電を行うモード>
（日照がある時間帯、7:00〜18:00での制御）
図７を主に参照する。
【００７９】
この時間帯では、停電していない通常時においては、商用電源４から電気料金がやや安価(7:00〜10:00)又は通常価格(10:00〜18:00)の電力が供給されており、前記Ｂモード(7:00〜10:00)又はＣモード(10:00〜18:00)で運転が行われている。
【００８０】
この時間帯において商用電源４が停電すると、太陽光発電装置１が稼働中で発電をしていても、太陽光発電装置１から余剰電力として商用電力側へ発電電力が直接供給されないように、太陽光発電装置１は、一旦は強制的に停止される。
【００８１】
これは、商用電源４が停電した状況で太陽光発電装置１の運転を続けた場合、例えば天候が雨天や曇天となったとき発電出力が下がって負荷３側への電力供給不足が発生したときに、負荷３側で使用していた各種電気機器に障害が起こったり、あるいはパソコン等ではデータが破損することがある等、需要者側が電力が供給されていることを認識し電気機器を使用しているが故の各種不都合が生じることを防止するためである。
【００８２】
そして、日照時であり太陽光発電装置１による発電が可能である場合、かつシステムを設置している需要者が必要とする場合は、あらためて手動にて自立運転スイッチ（図示省略）を入れて太陽光発電装置１を稼働させることができる。なお、天候が雨天や曇天で太陽光発電装置１が稼働し発電不足を回避する目的で太陽光発電１が停止するときは、蓄電池モジュール２２で放電した電力の負荷側への供給だけを行うようにする。
【００８３】
太陽光発電装置１を手動で稼働させた場合、前記Ｂモード運転からＥモードの運転に移行する場合では、制御部２５からの制御信号により、開閉スイッチＳ１がＯＮ、開閉スイッチＳ２がＯＮ、開閉スイッチＳ４がＯＦＦに切り替わる。また、Ｃモード運転から停電時運転に移行する場合では、同じく制御部２５からの制御信号により、開閉スイッチＳ１がＯＮに切り替わる。
【００８４】
すなわち、図７に示すように、このＥモードでは、開閉スイッチＳ１がＯＮ、開閉スイッチＳ２がＯＮ、開閉スイッチＳ３がＯＦＦ、開閉スイッチＳ４がＯＦＦ、開閉スイッチＳ５がＯＦＦ、開閉スイッチＳ６がＯＮとなる。
【００８５】
そして、Ｂモードの運転からＥモードの停電時運転に移行する場合では、蓄電池モジュール２２から直流電力を放電し、放電した電力を負荷側へ供給する。
一方、パワーコンディショナ１２の制御により、太陽光発電装置１の太陽電池モジュール１０ａ、１０ｂ、１０ｃ、１０ｄで発電した電力の商用電源４側への逆潮流が停止し、太陽光発電装置１の発電電力を蓄電池モジュール２２へ送る運転に切り替わる。
【００８６】
すなわち、パワーコンディショナ１２のＡＣ単線１００Ｖ出力部１２１から出力された交流電力は、ＡＣ入力部２０４からコントロールボックス２ａに入り、配線経路Ｗ１の開閉スイッチＳ１とＡＣ単相三線２００Ｖ昇圧器２１を通り、蓄電池モジュール２２へ送られる。なお、蓄電池モジュール２２へ送られる電力は、蓄電池モジュール２２の充電器が２００V単相三線のため、発電自立運転出力１００V単相二線を２００Ｖへ昇圧する必要があり、ＡＣ単相三線２００Ｖ昇圧器２１によって２００Ｖに昇圧される。
【００８７】
これにより、蓄電池モジュール２２が満充電であったときには、太陽光発電装置１の発電電力は、蓄電池モジュール２２の充電器により直流へ交換され、蓄電池モジュール２２とＤＣ／ＡＣインバータ２３へ流れ、蓄電池モジュール２２からの放電電力と共に負荷３側へ供給される。なお、蓄電池モジュール２２が満充電でないときは、前記のようにＡＣ単相三線２００Ｖ昇圧器２１によって２００Ｖに昇圧された電力が放電と並行して充電される。
【００８８】
また、Ｃモードの運転からＥモードの停電時運転に移行する場合では、蓄電池モジュール２２で放電した電力の負荷側への供給はそのまま継続される。
そして、パワーコンディショナ１２の制御により、太陽光発電装置１の太陽電池モジュール１０ａ、１０ｂ、１０ｃ、１０ｄで発電した電力の商用電源４側への逆潮流が停止し、太陽光発電装置１の発電電力を蓄電池モジュール２２へ送る運転に切り替わり、前記Ｂモードの運転からＥモードの停電時運転に移行する場合と同様に制御される。
【００８９】
(2-2)
<Ｆモード：蓄電池から負荷側への電力供給を行うモード>
（日照がない時間帯、18:00〜7:00での制御）
図８を主に参照する。
【００９０】
この時間帯では、停電していない通常時においては、商用電源４から電気料金がやや安価な電力(18:00〜23:00)又は安価な電力(23:00〜7:00)が供給されており、前記Ｄモード(18:00〜23:00)又はＡモード(23:00〜7:00)で運転が行われている。
【００９１】
前記Ｄモード又はＡモードでの運転中に商用電源４が停電すると、Ｄモード運転からＦモードの停電時運転に移行する場合では、制御部２５からの制御信号により、開閉スイッチＳ２がＯＮ、開閉スイッチＳ４がＯＦＦ、開閉スイッチＳ６がＯＦＦに切り替わる。
【００９２】
また、Ａモード運転からＦモードの停電時運転に移行する場合では、同じく制御部２５からの制御信号により、開閉スイッチＳ２がＯＮ、開閉スイッチＳ３がＯＦＦ、開閉スイッチＳ４がＯＦＦ、開閉スイッチＳ６がＯＦＦに切り替わる。
【００９３】
すなわち、図８に示すように、このＦモードでは、開閉スイッチＳ１がＯＦＦ、開閉スイッチＳ２がＯＮ、開閉スイッチＳ３がＯＦＦ、開閉スイッチＳ４がＯＦＦ、開閉スイッチＳ５がＯＦＦ、開閉スイッチＳ６がＯＦＦとなる。
【００９４】
そして、Ｄモードの運転からＦモードの停電時運転に移行する場合及びＡモードの運転からＦモードの停電時運転に移行する場合のどちらの場合も、前記Ｃモードにおいて説明したのと同様にして蓄電池モジュール２２で放電した電力を負荷側へ供給する運転に切り替わる。
【００９５】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形態様が可能であるということは言うまでもない。
【符号の説明】
【００９６】
Ｓ  電力供給システム
Ｄ  電力供給装置
１  太陽光発電装置
１０ａ、１０ｂ、１０ｃ、１０ｄ  太陽電池モジュール
１１  太陽光発電系統接続部
１２  パワーコンディショナ
１２０  ＡＣ二線２００Ｖ出力部
１２１  ＡＣ単線１００Ｖ出力部
１２２、１２３、１２４  配線
１３  発電運転専用コンセント
２  電力供給制御装置
２ａ  コントロールボックス
２ｂ  蓄電池ボックス
２ｃ  接続ボックス
２１  ＡＣ単相三線２００Ｖ昇圧器
２２  第１蓄電池モジュール
２３  ＤＣ／ＡＣインバータ
２４  ＤＣパワーモジュール
２５  制御部
２６  冷却ファン
２７  保温ヒーター
２０１  電池放出電力センサ
２０２  陽極二線出力バランスセンサ
２０４  ＡＣ入力部
２０５  ＡＣ出力部
２０６  ＡＣ出力部
２０７  ＡＣ入出力部
３  負荷側配電盤
４  商用電源
４０  買電用電力量計
４１  売電用電力量計
４２  ブレーカ
Ｓ１〜Ｓ６、Ｓ８、Ｓ９  開閉スイッチ
Ｗ１〜Ｗ１０  配線経路
【図１】
0003172855.tif 000003
【図２】
0003172855.tif 000004
【図３】
0003172855.tif 000005
【図４】
0003172855.tif 000006
【図５】
0003172855.tif 000007
【図６】
0003172855.tif 000008
【図７】
0003172855.tif 000009
【図８】
0003172855.tif 000010